(57)【要約】【課題】櫛歯列の外側部と櫛取付台の固定歯端との間、櫛歯と取付孔との間に毛髪が挟み込まれることを防止するとともに、櫛歯列の取付けを強固にした液塗布櫛を提供すること。【解決手段】櫛基台に櫛歯列を取着した液塗布用櫛であって、櫛基台は、櫛歯列の取付台と、取付台の両外側に配設された固定端歯とを具え、櫛歯列は、連結板で連結され、連結板両端の突出部に、先端方向に延びるベント板が突設されていることを特徴とする。【選択図】　　　　図１
2004113582.tif 000002
【特許請求の範囲】
【請求項１】
櫛基台に櫛歯列を取着した液塗布用櫛であって、
櫛基台は、櫛歯列の取付台と、取付台の両外側に配設された固定端歯とを具え、
櫛歯列は、連結板で連結され、連結板両端の突出部に、先端方向に延びるベント板が突設されていることを特徴とする液塗布櫛。
【請求項２】
固定端歯が、その内側面の根本部にベント板が係合する膨出部を設けていることを特徴とする請求項１記載の液塗布櫛。
【発明の詳細な説明】
【０００１】
【発明の属する技術分野】
本発明は、整髪料、染毛液等の内容液を収納した容器に取着する液塗布櫛に関する。
【０００２】
【従来の技術】
従来の液塗布櫛は、櫛歯列を両端に固定端歯を設けた櫛取付台に取着するようにしている（例えば、特許文献１参照。）。
【０００３】
【特許文献１】
特開２００１−２７５７３９号公報（第２図）
【０００４】
【発明が解決しようとする課題】
従来の液塗布櫛では、櫛歯列を櫛取付台に取着するときに、櫛歯列の各櫛歯の差込み部を櫛取付台に設けた取付孔に嵌挿するようにしているが、櫛歯列の根本部は、連結板で連結されているので、櫛歯の間に入り込んだ毛髪は、普通の櫛と同じく根本部で止まり、何等の問題はない。
【０００５】
しかしながら、櫛取付台の両端の固定歯と、櫛歯列の外側の櫛歯との間に入った毛髪は、櫛取付台の取付孔入口まで入り込み、ときには、櫛歯列の連結板端面の突出部と固定端歯との間、或いは櫛歯と取付孔との間に挟み込まれるおそれがあった。
そうした場合に、毛髪を引っ張ったり、毛髪を抜いてしまうという問題がおこる可能性もあった。
【０００６】
本発明は、上記問題を解決することを課題とし、櫛歯列の外側部と櫛取付台の固定歯端との間、櫛歯と取付孔との間に毛髪が挟み込まれることを防止するとともに、櫛歯列の取付けを強固にした液塗布櫛を提供することを目的とする。
【０００７】
【課題を解決するための手段】
本発明は、上記の課題を解決するため、液塗布櫛として、櫛基台に櫛歯列を取着した液塗布用櫛であって、櫛基台は、櫛歯列の取付台と、取付台の両外側に配設された固定端歯とを具え、櫛歯列は、連結板で連結され、連結板両端の突出部に、先端方向に延びるベント板が突設されていることを特徴とする構成を採用する。
【０００８】
櫛基台の実施例として、固定端歯が、その内側面の根本部にベント板が係合する膨出部を設けているを特徴とする構成を採用する。
【０００９】
【発明の実施の形態】
次に、本発明実施形態について、図面を参照して説明する。
図１、２において、Ａは容器、Ｂは取付キャップ、Ｃは櫛体である。
容器Ａは、スクイズタイプの押出容器で、内容液として取付キャップＢに取着された調髪料、染毛料等の頭髪用液が収納される。
【００１０】
取付キャップＢは、側周壁１と上壁２とを具えており、側周壁１は、容器Ａの口筒部に取着され、上壁２には、櫛体Ｃが取着されている。
実施例では、取付キャップＢと櫛体Ｃは別体としているが、両者を一体成形してもよい。
【００１１】
櫛体Ｃは、取付キャップＢの上壁２に設けられた開口を通じて、容器Ａ内に連通する液流路３が穿孔された櫛基台４と、櫛基台４に取着された櫛歯列５とを具えている。
櫛基台４は、液流路３を囲む壁面６と櫛歯列５の取付台７とを具えており、取付台７の上端と下端には、櫛基台４に連設された固定端歯８が配設されている。
【００１２】
図３に示すように、取付台７には、上下に等間隔をおいて、多数の櫛歯嵌挿孔９が穿孔されており、その底面には、液流路３と通じる流通孔１０が穿孔されている。
上下の固定端歯８のそれぞれの内側面１１は、先端から根本部１２に向かって、徐々に厚くなるよう傾斜され、根本部１２には、膨出部１３が突設されている。
【００１３】
櫛歯列５の各櫛歯５ａは、中心部に連通路１４が穿孔され、歯先端部には、連通路１４に連続する吐出孔１５が穿設されている。
多数の櫛歯５ａは、連結板１６によって結合されて櫛歯列５が形成され、連結板１６の両端は、櫛歯列５の外側に突出して突出部１７が形成されている。
それぞれの突出部１７の歯先側端部には、櫛歯５ａの先端方向に傾斜するベント板１８が突設されている。
櫛歯５ａの根本側は、連結板１６から突出し、中心に前記連通路１４を穿孔した差込部１９となっている。
【００１４】
櫛体Ｃは、櫛歯列５が上下の固定端歯８の間に挿入され、それぞれの櫛歯５ａの差込部１９が順次櫛歯嵌挿孔９に嵌合されることによって構成される。
その際、ベント板１８は、固定端歯８の内側面１１に接合し、根本部１２に近づくに従って湾曲されて、膨出部１３を乗り越え、固定端歯８の根本部１２に係合することになる。
【００１５】
次に、本液塗布櫛の作用効果について説明する。
本液塗布櫛は、容器Ａをスクイズして、内容物を注出孔から吐出しながら櫛歯５ａを頭髪に当てて梳いていくと、内容液を頭髪に塗ることができる。
その際、櫛歯５ａの間に入り込んだ毛髪は、櫛歯列５の連結板１６に保持され、それ以上に入り込むことはなく、また、櫛歯列５端側の櫛歯５ａと固定端歯８との間に入り込んだ毛髪は、ベント板１８に保持され、それ以上に歯根本側に入り込まない。
したがって、連結板１６の両端突出部１７と固定端歯８の根本部１２との間に毛髪が入り込むことがないので、毛髪が引っかかり、引っ張られたり、抜けたりすることはなくなった。
【００１６】
また、櫛歯列５の取着にあたって、各櫛歯５ａの差込部１９が取付台７の櫛歯嵌挿孔９に嵌合されるとともに、櫛歯列５の外側に立設したベント板１８が、膨出部１３と係合して、嵌合のゆるみによる櫛歯列５の抜け出しが阻止されるので、とくに溶着加工をしないでも櫛取着を強固にできる。
【００１７】
次に、櫛歯体の別実施例について説明する。
前記実施形態では、櫛歯列端面の中央部にベント板を立設しているが、図４に示すように、櫛歯のほぼ端縁部にベント板を立設するようにしてもよい。
【００１８】
図において、２５は櫛歯列、２６は櫛歯、２７は連結板、２８は連結板両端の突出部、２９は突出部２８の外端側に立設されたベント板、３０は櫛歯２６の差込部である。
ベント板２９は、それぞれ固定端歯の内側面に当接するとともに、固定端歯の根本部に設けた膨出部に係合し、内側面に圧接され、実施形態と同一の作用効果を得ることができる。
【００１９】
また、櫛歯の形状については、ほぼ楕円形状、ほぼ三角形状など任意の形状とすることができる。
ベント板の形状は、任意の形状とすることができ、設置位置も、前記実施例に限定されず、任意の位置に設けることができる。
さらにまた、ベント板は、一枚でもよく、複数枚設けてもよい。
【００２０】
前記実施形態では、頭髪用塗布液の容器として、スクイズタイプの押出容器を用いているが、デラミ容器、エアゾール容器等も用いることができ、容器、取付キャップ等の構成については何ら限定されない。
【００２１】
また、容器に取り付けて使用する櫛体のみでなく、容器と別体で使用する通常の櫛体で、櫛歯列を櫛取付台に取付けたものにも適用することができる。
【００２２】
【発明の効果】
本発明は、上記のように構成されているから、次の効果を奏する。
櫛基台の固定端歯の根本部内側に膨出部を設け、櫛歯列の連結板突出端に固定端歯内側に係合するベント板を設けているから、櫛取付台の固定端歯と、櫛歯列両端の櫛歯との間に入った毛髪は、櫛取付台の取付孔入口まで入り込むことがなく、櫛歯列の連結板突出部と固定端歯との間、或いは櫛歯と取付孔との間に挟み込まれることをなくすことができた。
また、膨出部によって櫛歯列を押さえているので、櫛歯列の抜け落ちが防止され、溶着加工等が不要となった。
【図面の簡単な説明】
【図１】本発明液塗布櫛の立面図である。
【図２】櫛歯列の斜視図である。
【図３】櫛歯列の取付時の説明図で、（ａ）は取付前、（ｂ）は取付後の立面図である。
【図４】櫛歯列の別実施例の説明図である。
【符号の説明】
Ａ　　　　　容器
Ｂ　　　　　取付キャップ
Ｃ　　　　　櫛体
１　　　　　側周壁
２　　　　　上壁
３　　　　　液流路
４　　　　　基体
５、２５　　櫛歯列
５ａ、２６　櫛歯
６　　　　　壁面
７　　　　　取付台
８　　　　　固定端歯
９　　　　　櫛歯嵌挿孔
１０　　　　流通孔
１１　　　　内側面
１２　　　　根本部
１３　　　　膨出部
１４　　　　連通路
１５　　　　吐出孔
１６、２７　連結板
１７　　　　突出部
１８、２９　ベント板
１９、３０　差込部
【図１】
2004113582.tif 000003
【図２】
2004113582.tif 000004
【図３】
2004113582.tif 000005
【図４】
2004113582.tif 000006